(57)【要約】【課題】複数の圧縮機を具備する空気調和機において、一部の圧縮機を停止させるとともに残りの圧縮機を運転させる場合であっても、油を効率良く利用できるようにする。【解決手段】気液分離器Ａにより分離されたガス冷媒を各圧縮機Ｃ１、Ｃ２に吸入させるとともに、互いに独立して設けられた複数の吸入管９１、９２と、気液分離器Ａにより分離された油を複数の吸入管９１、９２に分配する油分配機構８０とをさらに具備し、油分配機構８０が、一端が気液分離器Ａにおける油導出ポートに接続されたメイン管８１と、メイン管８１の他端に接続された分岐部８２と、一端が分岐部８２に接続されるとともに他端が互いに異なる吸入管９１、９２に接続された複数の分岐管８３１、８３２とを有し、各分岐管８３１、８３２の他端を、吸入管９１、２９における鉛直方向下端部Ｇ１、Ｇ２に接続した。【選択図】図１
2020020516.tif 000002
【特許請求の範囲】
【請求項１】
複数の圧縮機、蒸発器、及び気液分離器を少なくとも具備する空気調和機であって、
前記蒸発器を通過した冷媒を前記気液分離器に流入させる流入管と、
前記気液分離器により分離されたガス冷媒を前記各圧縮機に吸入させる互いに独立して設けられた複数の吸入管とを具備し、
前記複数の吸入管における前記ガス冷媒が流入する吸入口が、前記気液分離器内に設けられており、
前記複数の吸入管における吸入口側端部の径寸法が、それよりも下流側の径寸法よりも大きいことを特徴とする空気調和機。
【請求項２】
前記流入管における前記冷媒を吐出する吐出口が、前記蒸発器内において前記吸入管の前記吸入口側端部よりも下方に配置されていることを特徴とする請求項１記載の空気調和機。
【請求項３】
前記複数の吸入管が、前記気液分離器の下方から当該気液分離器内に挿入されている構成において、
前記複数の吸入管の前記吸入口側端部が一体化されていることを特徴とする請求項１又は２記載の空気調和機。
【請求項４】
前記複数の吸入管の前記吸入口側端部が溶接されていることを特徴とする請求項３記載の空気調和機。
【請求項５】
前記気液分離器により分離された油を前記複数の吸入管に分配する油分配機構とをさらに具備し、
前記油分配機構が、
一端が前記気液分離器における油導出ポートに接続されたメイン管と、
前記メイン管の他端が接続された分岐部と、
一端が分岐部に接続されるとともに他端が互いに異なる前記吸入管に接続された複数の分岐管とを有し、
前記各分岐管の他端が、前記吸入管における鉛直方向下端部に接続されていることを特徴とする請求項１乃至４のうち何れか一項に記載の空気調和機。
【請求項６】
第１圧縮機及び第２圧縮機と、前記各圧縮機に対応して設けられた第１吸入管及び第２吸入管と、前記第１吸入管に接続される第１分岐管及び前記第２吸入管に接続される第２分岐管とを具備しており、下記の式を満たすように構成されていることを特徴とする請求項５記載の空気調和機。
ｈｍａｘ≧｜Ｐ１−Ｐ２｜
ΔＰ＿ＡＲＶ＋ｈ＿ＡＲＶ≧Ｍａｘ｜Ｐａ−Ｐｘ｜
ただし、ｈｍａｘは、分岐部から第１吸入管と第１分岐管との接続部分までの揚程圧差又は分岐部から第２吸入管と第２分岐管との接続部分までの揚程圧差のうち大きい方の圧力、Ｐ１は、前記第１吸入管内における鉛直方向下端部の圧力、Ｐ２は、前記第２吸入管内における鉛直方向下端部の圧力、ΔＰ＿ＡＲＶは、前記メイン管の抵抗値、ｈ＿ＡＲＶは、気液分離器の底面から第１吸入管又は第２吸入管の鉛直方向下端部までの揚程圧差、Ｐａは、気液分離器内の圧力、Ｐｘは、Ｐ１又はＰ２である。
【請求項７】
前記油分配機構が、前記メイン管に設けられた開閉弁を有していることを特徴とする請求項５又は６記載の空気調和機。
【請求項８】
前記各分岐管の抵抗値と前記メイン管の抵抗値とが、η２：（１−η）２であることを特徴とする請求項５乃至７のうち何れか一項に記載の空気調和機。
ただし、ηは、０．５以上０．８以下である。
【請求項９】
前記分岐部が、第１分岐管が接続される第１ポート、第２分岐管が接続される第２ポート、及びメイン管が接続される第３ポートを有したＴ継手であることを特徴とする請求項５乃至８のうち何れか一項に記載の空気調和機。
【請求項１０】
前記気液分離器により分離された油を前記複数の吸入管に分配する油分配機構とをさらに具備し、
前記油分配機構が、
一端が前記気液分離器における油導出ポートに接続されたメイン管と、
前記メイン管の他端が接続された分岐部と、
一端が分岐部に接続されるとともに他端が互いに異なる前記吸入管に接続された複数の分岐管とを有し、
前記分岐部が前記気液分離器内に配置されていることを特徴とする請求項１乃至４のうち何れか一項に記載の空気調和機。
【請求項１１】
前記気液分離器内の下部に設けられて、前記気液分離器内において油が溜まる空間を上方空間及び下方空間に仕切る仕切り板と、
前記上方空間及び前記下方空間を連通して、上方空間から下方空間に油を導く油流通路とをさらに具備し、
前記下方空間に連通して、当該下方空間に溜まった油が流入する油戻し穴が前記複数の吸入管に形成されていることを特徴とする請求項１乃至４のうち何れか一項に記載の空気調和機。
【請求項１２】
前記複数の圧縮機それぞれに対応して設けられ、前記圧縮機から吐出された油含有冷媒から油を分離する複数の油分離器と、
前記油分離器により分離された油が導入されるとともに、この油分離器に対応した圧縮機とは別の圧縮機に前記油を導出するための複数の油導出管とをさらに具備していることを特徴とする請求項１乃至１１のうち何れか一項に記載の空気調和機。
【請求項１３】
前記各油導出管が、その一端が前記油分離器の油導出口に接続されるとともに、他端が
前記吸入管における前記分岐管との接続箇所よりも圧縮機側に接続されていることを特徴とする請求項１２記載の空気調和機。
【請求項１４】
前記油分離器が、断熱部材を介して前記気液分離器に取り付けられていることを特徴とする請求項１２又は１３記載の空気調和機。
【請求項１５】
前記気液分離器を中心に１８０度未満の範囲に前記複数の圧縮機及び前記油分離器が配置されており、
前記気液分離器を中心に９０度未満の範囲に２つの前記圧縮機が配置されており、
前記気液分離器を中心として、当該気液分離器に最も近い前記圧縮機と前記吸入管との接続部を通る円の内側に、全ての前記油分離器が配置されていることを特徴とする請求項１２乃至１４のうち何れか一項に記載の空気調和機。
【発明の詳細な説明】
【技術分野】
【０００１】
本発明は、複数の圧縮機を備えた空気調和機に関するものである。
【背景技術】
【０００２】
この種の空気調和機は、特許文献１に示すように、並列に設けられた第１圧縮機及び第２圧縮機と、蒸発器を通過した冷媒が導入される気液分離器と、前記気液分離器により分離されたガス冷媒を各圧縮機に吸入させる第１吸入管及び第２吸入管とを具備したものがある。
【０００３】
より具体的に説明すると、第１吸入管及び第２吸入管は、それぞれ独立して設けられており、気液分離器の上方から気液分離器の内部空間に差し込まれている。
【０００４】
このように第１吸入管及び第２吸入管を独立して設けることで、各吸入管として細い配管を用いることができるので、曲げＲを小さくすることができ、配管の溶接不良や割れなどを低減することができる。そのうえ、曲げＲを小さくすることで、圧縮機と気液分離器を近づけることができるので、機内のコンパクト化を図ることもできる。
【０００５】
しかしながら、第１吸入管及び第２吸入管を単純に細い配管としたのでは、各吸入管において、気液分離器により分離されたガス冷媒の流量損失が生じてしまい、空気調和機としての能力の低下を招来する。
【先行技術文献】
【特許文献】
【０００６】
【特許文献１】特開平１０−７３３３０号公報
【発明の概要】
【発明が解決しようとする課題】
【０００７】
そこで本願発明は、上述した問題を解決すべくなされたものであり、複数の圧縮機を具備する空気調和機において、それぞれの圧縮機に冷媒を戻す吸入管を独立させることで、配管の溶接不良や割れなどを低減するとともに、機内のコンパクト化を図り、なおかつ、気液分離器により分離されたガス冷媒の流量損失を低減することを課題とするものである。
【課題を解決するための手段】
【０００８】
すなわち、本願発明に係る空気調和機は、複数の圧縮機、蒸発器、及び気液分離器を少なくとも具備する空気調和機であって、前記蒸発器を通過した冷媒を前記気液分離器に流入させる流入管と、前記気液分離器により分離されたガス冷媒を前記各圧縮機に吸入させる互いに独立して設けられた複数の吸入管とを具備し、前記複数の吸入管における前記ガス冷媒が流入する吸入口が、前記気液分離器内に設けられており、前記複数の吸入管における吸入口側端部の径寸法が、それよりも下流側の径寸法よりも大きいことを特徴とするものである。
【０００９】
このように構成された空気調和機であれば、複数の圧縮機にガス冷媒を吸入させる吸入管を独立して設けているので、複数の吸入管として細い配管を用いることで、配管の溶接不良や割れなどを低減するとともに、機内のコンパクト化を図ることができる。そのうえ、吸入管の吸入口側端部の径寸法がそれよりも下流側の径寸法よりも大きいので、気液分離器により分離されたガス冷媒の流量損失を低減させることができ、空気調和機としての能力を担保することができる。
【００１０】
前記流入管における前記冷媒を吐出する吐出口が、前記蒸発器内において前記吸入管の前記吸入口側端部よりも下方に配置されていることが好ましい。
このような構成であれば、流入管の吐出口から吐出された冷媒が吸入管の吸入口に入り込んでしまうことを、吸入管における径寸法の大きい吸入口側端部によって防ぐことができる。
【００１１】
前記複数の吸入管が前記気液分離器の下方から当該気液分離器内に挿入されている場合、吸入管が気液分離器内で倒立した状態となるので、吸入管として細い配管を用いると、機械的強度が足りなくなる恐れがある。
そこで、上述した構成においては、前記複数の吸入管の前記吸入口側端部が一体化されていることが好ましい。
これならば、吸入管として細い配管を用いて、これらを気液分離器内で倒立させたとしても、機械的強度を担保することができる。
【００１２】
一体化の具体的な実施態様としては、前記複数の吸入管の前記吸入口側端部が溶接されている構成が挙げられる。
【００１３】
前記気液分離器により分離された油を前記複数の吸入管に分配する油分配機構をさらに具備し、前記油分配機構が、一端が前記気液分離器における油導出ポートに接続されたメイン管と、前記メイン管の他端が接続された分岐部と、一端が分岐部に接続されるとともに他端が互いに異なる前記吸入管に接続された複数の分岐管とを有し、前記各分岐管の他端が、前記吸入管における鉛直方向下端部に接続されていることが好ましい。
【００１４】
このような空気調和機であれば、各分岐管の他端が、吸入管における鉛直方向下端部に設けられているので、一部の圧縮機を停止させた場合に、停止させた圧縮機に接続された吸入管内の油は、自重で分岐管に流れ込む。そして、この油は、分岐部を介して運転している圧縮機に接続された吸入管へ流入し、運転している圧縮機に供給される。
このように、本願発明によれば、一部の圧縮機を停止させたとしても、従来よりも多くの油を運転している圧縮機に戻すことができる。
【００１５】
具体的な実施態様としては、第１圧縮機及び第２圧縮機と、前記各圧縮機に対応して設けられた第１吸入管及び第２吸入管と、前記第１吸入管に接続される第１分岐管及び前記第２吸入管に接続される第２分岐管とを具備しており、下記の式を満たすように構成されている構成が挙げられる。
ｈｍａｘ≧｜Ｐ１−Ｐ２｜
ΔＰ＿ＡＲＶ＋ｈ＿ＡＲＶ≧Ｍａｘ｜Ｐａ−Ｐｘ｜
ただし、ｈｍａｘは、分岐部から第１吸入管と第１分岐管との接続部分までの揚程圧差又は分岐部から第２吸入管と第２分岐管との接続部分までの揚程圧差のうち大きい方の圧力、Ｐ１は、前記第１吸入管内における鉛直方向下端部の圧力、Ｐ２は、前記第２吸入管内における鉛直方向下端部の圧力、ΔＰ＿ＡＲＶは、前記メイン管の抵抗値、ｈ＿ＡＲＶは、気液分離器の底面から第１吸入管又は第２吸入管の鉛直方向下端部までの揚程圧差、Ｐａは、気液分離器内の圧力、Ｐｘは、Ｐ１又はＰ２である。
このような構成であれば、第１圧縮機と第２圧縮機との容量が異なる場合であっても、停止させた一方の圧縮機から運転している他方の圧縮機へと油を戻すことができる。
【００１６】
前記油分配機構が、前記メイン管に設けられた開閉弁を有していることが好ましい。
このような構成であれば、気液分離器により分離された液冷媒量が多い場合に、開閉弁を閉じれば、液冷媒が圧縮機に流れ込むことを防ぐことができる。
【００１７】
油分配機構を構成する配管の実施態様としては、前記各分岐管の抵抗値と前記メイン管の抵抗値とが、η２：（１−η）２であることが好ましい。
ただし、ηは、０．５以上０．８以下である。
【００１８】
前記分岐部としては、第１分岐管が接続される第１ポート、第２分岐管が接続される第２ポート、及びメイン管が接続される第３ポートを有したＴ継手が好ましい。
これならば、分岐部を簡単な構成で安価なものにすることができるうえ、分岐管を流れる油の動圧に起因してメイン管の油流れが妨げられることを防ぐことができる。
【００１９】
また、別の実施態様としては、前記気液分離器により分離された油を前記複数の吸入管に分配する油分配機構をさらに具備し、前記油分配機構が、一端が前記気液分離器における油導出ポートに接続されたメイン管と、前記メイン管の他端が接続された分岐部と、一端が分岐部に接続されるとともに他端が互いに異なる前記吸入管に接続された複数の分岐管とを有し、前記分岐部が前記気液分離器内に配置されている構成が挙げられる。
このような構成であれば、分岐部を気液分離器内に配置しているので、機内の更なるコンパクト化を図れる。
【００２０】
上述した構成における分岐部を不要にして、更なるコンパクト化を図るためには、前記気液分離器内の下部に設けられて、前記気液分離器内において油が溜まる空間を上方空間及び下方空間に仕切る仕切り板と、前記上方空間及び前記下方空間を連通して、上方空間から下方空間に油を導く油流路とをさらに具備し、前記下方空間に連通して、当該下方空間に溜まった油が流入する油戻し穴が前記複数の吸入管に形成されている構成を挙げられる。
【００２１】
前記複数の圧縮機それぞれに対応して設けられ、前記圧縮機から吐出された油含有冷媒から油を分離する複数の油分離器と、前記油分離器により分離された油が導入されるとともに、この油分離器に対応した圧縮機とは別の圧縮機に前記油を導出するための複数の油導出管とをさらに具備していることが好ましい。
このような構成であれば、各油分離器によって分離された油を、これらの各油分離器に対応する圧縮機とは別の圧縮機に供給させることができるので、複数の異容量の圧縮機を運転させる場合であっても、特定の圧縮機に油が偏る、いわゆる偏油を防ぐことができる。
【００２２】
前記各油導出管が、その一端が前記油分離器の油導出口に接続されるとともに、他端が
前記吸入管における前記分岐管との接続箇所よりも圧縮機側に接続されていることが好ましい。
このような構成であれば、油導出管から吸入管に流れ込んだ油は自重で分岐管へ流れ込むので、一部の圧縮機を停止させたとしても、油分離器により分離された油を確実に別の運転している圧縮機に戻すことができる。
【００２３】
前記油分離器が、断熱部材を介して前記気液分離器に取り付けられていることが好ましい。
このような構成であれば、油分離器と気液分離器との間における熱損失を低減することができる。
【００２４】
機内をコンパクト化するための具体的な実施態様としては、前記気液分離器を中心に１８０度未満の範囲に前記複数の圧縮機及び前記油分離器が配置されており、前記気液分離器を中心に９０度未満の範囲に２つの前記圧縮機が配置されており、前記気液分離器を中心として、当該気液分離器に最も近い前記圧縮機と前記吸入管との接続部を通る円の内側に、全ての前記油分離器が配置されている構成が挙げられる。
【発明の効果】
【００２５】
このように構成した本発明によれば、複数の圧縮機を具備する空気調和機において、それぞれの圧縮機に冷媒を戻す吸入管を独立させることで、配管の溶接不良や割れなどを低減するとともに、機内のコンパクト化を図り、なおかつ、気液分離器により分離されたガス冷媒の流量損失を低減することができる。
【図面の簡単な説明】
【００２６】
【図１】本実施形態における空気調和機の冷媒回路を模式的に示す回路図。
【図２】同実施形態の気液分離器の構成を模式的に示す図。
【図３】同実施形態における油の流れを説明する図。
【図４】同実施形態の油分離器の構成を模式的に示す図。
【図５】同実施形態の油分離器の構成を示す断面図。
【図６】同実施形態の油分離器の構成を示す断面図。
【図７】同実施形態の油分離器の効果を示す実験データ。
【図８】同実施形態の油分離器の油含有冷媒の流れをシミュレーションした結果。
【図９】同実施形態の油分離器の効果を示す実験データ。
【図１０】同実施形態の油分離器の効果を示す実験データ。
【図１１】同実施形態の油分離器の効果を示す実験データ。
【図１２】同実施形態の油分離器を備える室外機を正面から視た状態を模式的に示す図。
【図１３】同実施形態の油分離器を備える室外機を上方から視た状態を模式的に示す図。
【図１４】その他の実施形態における空気調和機の冷媒回路を模式的に示す回路図。
【図１５】その他の実施形態の油分離機構の構成を模式的に示す図。
【図１６】その他の実施形態の油分離機構の構成を模式的に示す図。
【図１７】その他の実施形態の油分離器の構成を模式的に示す図。
【図１８】その他の実施形態の油分離器の構成を模式的に示す図。
【図１９】その他の実施形態の油分離器の構成を模式的に示す図。
【図２０】その他の実施形態の油分離器を備える室外機を上方から視た状態を模式的に示す図。
【発明を実施するための形態】
【００２７】
以下に本発明に係る空気調和機の一実施形態について説明する。
【００２８】
本実施形態の空気調和機３００は、図１に示すように、複数の圧縮機Ｃと、気液分離器Ａと、油分離器１００とを有する冷媒回路２００を備えたものである。
なお、当業者であれば理解できようが、この冷媒回路２００は、図示していないが、四方弁、室外熱交換器、膨張弁、及び室内熱交換器を有していることはいうまでもない。
【００２９】
本実施形態では、２つの圧縮機Ｃ（以下、これらを区別する場合は第１圧縮機Ｃ１及び第２圧縮機Ｃ２という）が設けられており、これらの圧縮機Ｃは互いに容量が異なるように設計されたものである。なお、圧縮機Ｃの個数は２つに限定されるものではないし、各圧縮機Ｃの容量は例えば互いに等しくするなど適宜変更して構わない。
【００３０】
気液分離器Ａは、暖房運転又は冷房運転に応じて蒸発器として機能する室内熱交換器又は室外熱交換器を通過した冷媒が導入されて、この冷媒をガス冷媒と油を含む液冷媒とに分離するものである。
【００３１】
本実施形態の空気調和機３００は、図１に示すように、蒸発器を通過した冷媒を気液分離器Ａに流入される流入管４００と、気液分離器Ａにより分離されたガス冷媒を第１圧縮機Ｃ１及び第２圧縮機Ｃ２に吸入させるとともに、互いに独立して設けられた第１吸入管４１０及び第２吸入管４２０と、気液分離器Ａにより分離された油を各吸入管４１０、４２０に分配して供給する油分配機構５００とをさらに具備している。
【００３２】
流入管４００は、一端開口が蒸発器に接続されるとともに、他端開口が気液分離器Ａ内に設けられており、この他端開口が蒸発器を通過した冷媒を吐出する吐出口４０１である。本実施形態の流入管４００は、気液分離器Ａの上壁部を貫通して気液分離器Ａ内に挿入されているが、気液分離器Ａの側壁部を貫通して設けられていても良い。なお、流入管４００が側壁部を貫通する場合、吐出口４０１は気液分離器Ａ内に設けられていても良いし、気液分離器Ａの側壁部に形成されていても良い。
【００３３】
前記各吸入管４１０、４２０は、一端開口が気液分離器Ａ内に位置するとともに、他端開口が各圧縮機Ｃの供給ポートに連通したものであり、一端開口が気液分離器Ａ内で分離されたガス冷媒が流れ込む吸入口４１１、４２１である。
より具体的に説明すると、各吸入管４１０、４２０は、気液分離器Ａの下方から気液分離器Ａ内に挿入されて、気液分離器Ａ内で倒立した状態で設けられている。言い換えれば、各吸入管４１０、４２０の一端開口が気液分離器Ａ内の上部に位置しており、そこから下方に延びて気液分離器Ａの底部を貫通している。そこから、各吸入管４１０、４２０は、さらに下方に延びたあと、複数回湾曲（或いは屈曲）して、他端開口が気液分離器Ａの底部よりも上方に位置する圧縮機Ｃの供給ポートに例えば溶接等で接続されている。つまり、各吸入管４１０、４２０の一端開口は、他端開口よりも上方に位置している。ここでは、図１に示すように、第１吸入管４１０の鉛直方向下端部Ｇ１が、第２吸入管４２０の鉛直方向下端部Ｇ２よりも上方に位置するようにしている。なお、ここでいう鉛直方向下端部は、各吸入管４１０、４２０における鉛直方向の最も下側に位置する部分である。
【００３４】
そして、本実施形態の吸入管４１０、４２０は、図１及び図２に示すように、気液分離器Ａ内に位置する吸入口側端部４１２、４２２（一端開口側端部）が、それよりも下流側の径寸法よりも大きくなるように構成されている。ここでは、吸入管４１０、４２０の上流側端部４１２、４２２が、それよりも下方の配管よりも径寸法の大きい配管により構成されており、直管形状をなす。なお、上流側端部４１２、４２２は、直管状をなすものに限らず、例えば上方に向かって徐々に拡径するベルマウス形状（喇叭状）のものであっても良い。
【００３５】
各上流側端部４１２、４２２は、互いに等しい径寸法のものであり、これらの外周面同士が接触した状態で、例えば溶接により一体化されている。なお、一体化する方法としては溶接に限らず、例えばネジ等を用いて一体化しても良いし、共通の支持部材によって支持することで一体化しても良い。
【００３６】
本実施形態では、上述した流入管４００の吐出口４０１が、各吸入管４１０、４２０の上流側端部４１２、４２２よりも下方に配置されている。つまり、吸入管４１０、４２０の大径部分たる上流側端部４１２、４２２の全体が、流入管４００の吐出口４０１よりも上方に配置されている。これにより、各吸入管４１０、４２０の上流側端部４１２、４２２は、流入管４００の吐出口４０１から吐出した気液二層状態の冷媒が吸入管４１０、４２０の吸入口４１２、４２２に流れ込むことを防ぐ冷媒流入防止部として機能する。
【００３７】
前記油分配機構５００は、一端が気液分離器Ａにおける油導出ポートに接続されたメイン管５１０と、メイン管５１０の他端が接続された分岐部５２０と、一端が分岐部５２０に接続されるとともに他端が互いに異なる吸入管４１０、４２０に接続される第１分岐管５３１及び第２分岐管５３２とを有している。
【００３８】
前記メイン管５１０は、気液分離器Ａの底部に溜まった油が流れ込むように配置されたものであり、具体的には一端開口が前記底部から所定の高さに位置するとともに、そこから下方に延びて前記底部を貫通している。
かかる構成において、気液分離器Ａにより分離された液冷媒量が多い場合には、液冷媒の液面がメイン管５１０の一端開口よりも高くなり、メイン管５１０に液冷媒が流れ込んでしまう。
そこで、本実施形態では、メイン管５１０に電磁弁等の開閉弁Ｖを設けてあり、例えば分離された液冷媒量や液冷媒の液面高さが所定の閾値以上となった場合に、ユーザや図示しない制御装置が前記開閉弁Ｖを閉じることで、液冷媒が圧縮機に流れ込むことを防ぐようにしている。なお、この開閉弁Ｖは必ずしも設けなければならないものではない。
【００３９】
前記分岐部５２０は、メイン管５１０と各分岐管５３１、５３２との間に介在するとともに、圧縮機Ｃ及び気液分離器Ａよりも下方に配置されており、具体的には、第１分岐管５３１が接続される第１ポート、第２分岐管５３２が接続される第２ポート、及びメイン管５１０が接続される第３ポートを有したＴ継手である。
なお、分岐部５２０は、メイン管５１０や各分岐管５３１、５３２の配置などに応じて、例えばＹ継手などに適宜変更して良い。
【００４０】
そして、本実施形態の各分岐管５３１、５３２は、他端が吸入管４１０、４２０における鉛直方向下端部Ｇ１、Ｇ２に接続されている。
より詳細に説明すると、前記各分岐管５３１、５３２は、一端開口が前記分岐部５２０に接続されるとともに、そこから上方に延びて他端開口が各吸入管４１０、４２０における鉛直方向下端部Ｇ１、Ｇ２に接続されて各吸入管４１０、４２０内に連通している。
言い換えれば、本実施形態の各分岐管５３１、５３２は、各吸入管４１０、４２０における鉛直方向の最も下側に位置する部分に接続されるとともに、そこからさらに下方に延びるように設計されたものである。
【００４１】
このように構成された油分配機構５００は、本実施形態では下記の関係式を満たすように、各配管が設計されている。
ｈｍａｘ≧｜Ｐ１−Ｐ２｜
ΔＰ＿ＡＲＶ＋ｈ＿ＡＲＶ≧Ｍａｘ｜Ｐａ−Ｐｘ｜
ただし、ｈｍａｘは、分岐部５２０から第１吸入管４１０と第１分岐管５３１との接続部分までの揚程圧差又は分岐部５２０から第２吸入管４２０と第２分岐管５３２との接続部分までの揚程圧差のうち大きい方の圧力、Ｐ１は、第１吸入管４１０内における鉛直方向下端部Ｇ１の圧力、Ｐ２は、第２吸入管４２０内における鉛直方向下端部Ｇ２の圧力、ΔＰ＿ＡＲＶは、メイン管５１０の抵抗値、ｈ＿ＡＲＶは、気液分離器Ａの底面から第１吸入管４１０又は第２吸入管４２０の鉛直方向下端部Ｇ１又はＧ２までの揚程圧差、Ｐａは、気液分離器Ａ内の圧力、Ｐｘは、Ｐ１又はＰ２である。
【００４２】
また、各分岐管５３１、５３２やメイン管５１０の管径は、分岐管５３１、５３２の抵抗値とメイン管５１０の抵抗値とが、η２：（１−η）２となるように設計されている。ただし、ηは、０．５以上０．８以下である。
より詳細には、各分岐管５３１、５３２やメイン管５１０の管径は、第１分岐管５３１の流量及びメイン管５１０の流量の合計と、第２分岐管５３２の流量及びメイン管５１０の流量の合計との比が、第２圧縮機Ｃ２と第１圧縮機Ｃ１との容積比と等しくなるように設計されており、各吸入管４１０、４２０の管径が互いに等しい場合には、この比は、第２吸入管４２０と第１吸入管４１０との流量比に等しくなる。
【００４３】
前記油分離器１００は、圧縮機Ｃから吐出された油を含んだ冷媒（以下、油含有冷媒ともいう）から油を分離するものであり、図１に示すように、各圧縮機Ｃそれぞれに対応して複数設けられている。
各油分離器１００の具体的な構成については後述する。
【００４４】
ここでは、前記油分離器１００により分離された油が導入されるとともに、この油分離器１００に対応した圧縮機Ｃとは別の圧縮機Ｃに前記油を導出するための複数の油導出管４０が設けられている。
【００４５】
前記各油導出管４０は、その一端開口が前記油分離器１００の油導出口に接続されるとともに、他端開口が前記吸入管４１０、４２０における前記分岐管５３１、５３２との接続箇所よりも圧縮機Ｃ側に接続されている。
各油導出管４０にはキャピラリー管たる毛細配管Ｔが設けられており、油分離器１００により分離された油の略全てが毛細配管Ｔを流れて圧縮機Ｃに戻るようにしている。
【００４６】
上述したように構成された空気調和機３００によれば、各分岐管５３１、５３２の他端が、吸入管４１０、４２０における鉛直方向下端部Ｇ１、Ｇ２に接続されているので、図３に示すように、一方の圧縮機Ｃ１を停止させたとしても、停止させた圧縮機Ｃ１に接続された吸入管４１０内の油は、この吸入管４１０に接続された第１分岐管５３１に向かって自重で流れ込む。そして、この油は、分岐部５２０を介して第２分岐管５３２に流れ込み、他方の圧縮機Ｃ２に供給される。したがって、一方の圧縮機Ｃ１を停止させた場合であっても、多くの油を運転している圧縮機Ｃ２に戻すことができる。もちろん、他方の圧縮機Ｃ２を停止させた場合も同様のことがいえる。
【００４７】
また、第１吸入管４１０及び第２吸入管４２０を互いに独立して設けているので、これらの吸入管４１０、４２０の一部を共通化した場合に比べて、各吸入管４１０、４２０の管径を小さくすることができる。
その結果、これらの吸入管４１０、４２０に曲げやすい小径のものを用いることができるので、吸入管４１０、４２０の曲げＲを小さくすることができ、省スペース化及びコンパクト化を図れる。さらに、吸入管４１０、４２０として小径の配管を用いることで、配管の割れを低減することができる。そのうえ、小径の配管を用いることにより、大径の配管と比べて高度な溶接技術を必要とせず、溶接不良を低減することできる。
【００４８】
しかも、吸入管４１０、４２０の吸入口側端部４１２、４２２の径寸法がそれよりも下流側の径寸法よりも大きいので、気液分離器Ａにより分離されたガス冷媒の流量損失を低減させることができ、空気調和機３００としての能力を担保することができる。
【００４９】
そのうえ、各吸入口側端部４１２、４２２を溶接により一体化しているので、吸入管４１０、４２０として細い配管を用いて、これらを気液分離器Ａ内で倒立させたとしても、機械的強度を担保することができる。
【００５０】
加えて、流入管４００の吐出口４０１が、各吸入管４１０、４２０の上流側端部４１２、４２２よりも下方に配置されているので、流入管４００の吐出口４０１から吐出された冷媒が吸入管４１０、４２０の吸入口に入り込んでしまうことを、吸入管４１０、４２０における径寸法の大きい吸入口側端部４１２、４２２によって防ぐことができる。
【００５１】
さらに、油導出管４０が、油分離器１００により分離された油をこの油分離器１００に対応した圧縮機Ｃとは別の圧縮機Ｃに導出するので、本実施形態のように第１圧縮機Ｃ１及び第２圧縮機Ｃ２が異容量である場合であっても、特定の圧縮機Ｃに油が偏る、いわゆる偏油を防ぐことができる。
【００５２】
ところで、圧縮機Ｃに戻される油のうち、大部分は油分離器１００から圧縮機Ｃに供給される分であり、残りは気液分離器Ａから圧縮機Ｃに供給される分である。
大部分の油における偏油を防ぐことができることは、上述したとおりである。
一方、残りの油に関しては、分岐管５３１、５３２やメイン管５１０の管径が、第１分岐管５３１の流量及びメイン管５１０の流量の合計と、第２分岐管５３２の流量及びメイン管５１０の流量の合計との比が、第２圧縮機Ｃ２と第１圧縮機Ｃ１との容積比と等しくなるように設計されているので、この少量の油における偏油をも防ぐことできる。
【００５３】
次に、本実施形態の油分離器１００について説明する。
【００５４】
本実施形態の油分離器１００は、遠心力を用いて油含有冷媒から油を遠心分離させ、油を分離させたあとの冷媒（以下、分離後冷媒ともいう）を例えば図示しない熱交換器に導出するとともに、分離させた油を再び圧縮機Ｃに戻すように構成されている。
【００５５】
具体的に説明すると、前記油分離器１００は、図４〜図６に示すように、油含有冷媒から油を分離させるための分離空間Ｓを有する容器１０と、油含有冷媒を容器１０内に導入する導入管２０と、分離後冷媒を容器１０から導出する冷媒導出管３０と、分離させた油を容器１０から導出する油導出管４０とを具備するものである。
以下、各部について説明する。
【００５６】
容器１０は、図４に示すように、上端及び下端が開口した概略円筒状をなすものであり、ここでは等断面形状の本体部１１と、本体部１１の上部に設けられて上方に向かって徐々に縮径する上側テーパ部１２と、本体部１１の下部に設けられて下方に向かって徐々に縮径するとともに、分離された油を貯留する下側テーパ部１３とを有している。
この容器１０は、図５及び図６に示すように、中心軸Ｏ１に直交する断面が円形状をなす内周面１４を有し、この内周面１４によって前記分離空間Ｓを形成したものであり、内周面１４を油含有冷媒が旋回しながら上方から下方に向かって流れるように構成されている。
【００５７】
導入管２０は、図４及び図５に示すように、油含有冷媒を容器１０の内周面１４に沿って旋回させるように前記容器１０内に導入するものであり、容器１０の側壁１５を貫通して設けられている。本実施形態の導入管２０は、上側テーパ部１２の下方、より詳細には本体部１１の上端部を貫通しており、その管軸Ｏ２が容器１０の中心軸Ｏ１に対して直交するよう設けられている。
【００５８】
具体的にこの導入管２０は、油含有冷媒を容器１０内に導入する導入口２１を有した断面円形状の円筒管であり、前記導入口２１が形成されるとともに、側壁１５を貫通する先端部２２と、前記先端部２２の上流側に連続して設けられるとともに、前記先端部２２から高さ方向に湾曲して上方に延びる後端部２３とを有している。
【００５９】
より詳細に説明すると、この導入管２０は、油含有冷媒を導入口２１から内周面１４の接線方向に沿って吐出させるべく、先端部２２の管軸Ｏ２と容器１０の中心軸Ｏ１とが交差しないように、前記管軸Ｏ２を前記中心軸Ｏ１からずらして設けられている。ここでは、前記管軸Ｏ２が前記中心軸Ｏ１と直交し、前記先端部２２の管軸Ｏ２と前記後端部２３における直線部分の管軸Ｏ３とのなす角度θが略９０度となるようにしている。なお、前記なす角度θは、０度より大きく且つ１８０度より小さければ適宜変更して構わない。
【００６０】
本実施形態では、導入管２０の管軸Ｏ２を含み、容器の中心軸Ｏ１に直交する断面において、前記管軸Ｏ２を挟んだ導入管２０の先端部２０ａが、中心軸Ｏ１に平行な第１仮想平面上に位置している。
より具体的には、前記導入口２１は、容器１０の中心軸Ｏ１と平行な第１仮想平面Ｘ１上に形成されており、冷媒導出管３０の外周面３１を臨むように、導入管２０の管軸Ｏ２と直交する面に対して傾いて開口している。
【００６１】
冷媒導出管３０は、分離後冷媒が下方から上方に流れるものであり、図５及び図６に示すように、容器１０の図示しない上端開口にガタなく差し込まれて容器１０の中心軸Ｏ１と同軸上に設けられている。
具体的のこのものは、外径が前記容器１０の内径よりも小さい等断面形状の円筒管であり、前記容器１０内に位置するとともに分離後冷媒が流入する導出口３２を有している。
この導出口３２は、容器１０の上端から所定距離の位置に設けられており、ここでは導出口３２よりも下方における容器１０の容積が０．６Ｌ以下となるようにしている。
また、本実施形態では、前記導出口３２が、上述した下側テーパ部１３よりも上方、つまり本体部１１の下端よりも上方に位置するように設けられており、これにより下側テーパ部１３に貯留された油が飛散したとしても、その油が導出口３２内に流れ込まないようにしている。
【００６２】
油導出管４０は、容器１０の下側テーパ部１３に溜まった油を容器１０内から導出するものであり、図４に示すように、下側テーパ部１３に設けられている。
具体的にこのものは、容器１０の底壁に形成された図示しない下端開口にガタなく嵌め込まれた等断面形状の円筒管である。
【００６３】
しかして、本実施形態の油分離器１００は、図５に示すように、第１仮想平面Ｘ１と、この第１仮想平面Ｘ１に平行で冷媒導出管３０の外周面３１に接する第２仮想平面Ｘ２との離間距離Ｌ１が、前記導入管２０の内径Ｄ１の０．３２倍以上となるように構成されている。
より詳細には、前記離間距離Ｌ１は、前記導入管２０における導入口側端部の内径Ｄ１の０．３２倍以上である。
【００６４】
ここで、第１仮想平面Ｘ１と第２仮想平面Ｘ２との離間距離Ｌ１と油分離効率との関係を示す実験データを図７に示し、油含有冷媒の流れをシミュレーションした結果を図８に示す。
なお、図７に示す実験データは、油分離器１００に導入される油流量（冷媒流量に油潤滑率をかけたもの）が多い状態を想定したものであり、実験条件は、冷媒流量が１０００ｋｇ／ｈ、油潤滑率が１．４％、導入管２０の内径Ｄ１が１７．０５ｍｍである。また、図８に示すシミュレーションは、前記離間距離Ｌ１を導入管２０の内径Ｄ１の０．３２倍とした条件で行なっている。
この実験データから分かるように、油分離効率は、前記離間距離Ｌ１を徐々に増大させていくと、導入管２０の内径Ｄ１の０．３２倍になるまで向上し、０．３２倍以上ではほぼ横ばいになる傾向がみられる。
このことは、前記離間距離Ｌ１が導入管２０の内径Ｄ１の０．３２倍以上になると、図８に示すように、導入管２０から導入された油含有冷媒の略全てが、冷媒導出管３０に対して左右片側に流れて、同一方向に旋回するためである。
【００６５】
また、本実施形態の油分離器１００は、導出口３２から導入口２１の中心までの高さ、すなわち導出口３２から導入管２０の管軸Ｏ２までの高さＬ２が、導入管２０の内径Ｄ１の３．０倍以上且つ４．５倍以下となるように構成されており、より具体的には導入管２０の内径Ｄ１の３．０倍以上且つ４．０倍以下にしてある。
【００６６】
ここで、前記高さＬ２と油分離効率との関係を示す実験データを図９に示す。なお、実験条件は、上記の実験条件と同一である。
この実験データから分かるように、油分離効率は、前記高さＬ２の増大に伴い上昇するが、導入管２０の内径Ｄ１の３．０倍以上になるとほぼ横ばいになり、４．０倍以上になると徐々に低下する傾向がみられる。
このことは、前記高さＬ２が導入管２０の内径Ｄ１の３．０倍よりも小さいと、油含有冷媒から油が分離される前に、冷媒導出管３０から冷媒とともに油が導出されるためである。また、前記高さＬ２が導入管２０の内径Ｄ１の４．０倍よりも大きいと、導入管２０から導入された冷媒が内周面１４を旋回するうちに、その旋回方向が徐々に下向きに変わってしまい、油含有冷媒が冷媒導出管３０の導出口３２近傍に到達した時点では遠心力が低下しており、分離された油が内周面１４から離脱して導出口３２に流れ込んでしまうからである。
【００６７】
なお、本実施形態では、導出口３２から導入管２０の管軸Ｏ２までの高さＬ２は、導入管２０を流れる冷媒流量、冷媒導出管３０の外周面３１と容器１０の内周面１４との離間距離Ｌ３、及び導入管２０の内径Ｄ１をパラメータとして設定されていても良い。
具体的には、導入管２０から流入される冷媒が６ｍ／ｓ以上であり、前記離間距離Ｌ３が、冷媒導出管３０の内径Ｄ２の１．０倍以上２．０倍以下の場合に、前記高さＬ２が、上述したように導入管２０の内径Ｄ１の３．０倍以上且つ４．０倍以下となるように設定されている。このような構成であれば、油分離器１００を小型化しながらも、油分離効率を向上させることができる。
【００６８】
ここで、前記離間距離Ｌ２と油分離効率との関係を図１０に示す。なお、実験条件は、上記の実験条件と同一である。
この実験データから分かるように、油分離効率は、前記離間距離Ｌ２が冷媒導出管３０の内径Ｄ２の１．０倍以上になると大きく上昇する傾向がみられる。
このことは、前記離間距離Ｌ２が導入管２０の内径Ｄ１の１．０倍よりも短いと、分離された油が冷媒導出管３０の導出口３２に流れ込んでしまうからである。
【００６９】
また、導入管２０の内径Ｄ１が、容器１０の内径Ｄ３の０．１６倍以上且つ０．４４倍以下としている。なお、ここでは、容器１０の内径Ｄ３は例えば５０．８ｍｍである。
より具体的に説明すると、導入管２０の内径Ｄ１は９．５ｍｍ以上且つ２２．４ｍｍ以下であり、容器１０の中心軸Ｏ１を含み、導入管２０の管軸Ｏ２と直交する断面において、前記管軸Ｏ２から、前記管軸Ｏ２に対して中心軸Ｏ１と反対側の内周面１４までの離間距離Ｌ４が、１０．６ｍｍ以上且つ１３．２ｍｍ以下となるようにしている。
このような構成であれば、導入管２０から導入される油含有冷媒を確実に内周面１４に沿って旋回させることができ、分離効率を向上させることができる。
【００７０】
そのうえ、本実施形態では、導入管２０の上方に油が滞留することを防ぐべく、本体部１１の上端、つまり上側テーパ部１２の下端から、導入管２０の管軸Ｏ２までの高さ寸法Ｌ５が、上側テーパ部１２の高さ寸法Ｌ６以下となるようにしている。
【００７１】
ここで、本実施形態の油分離器１００と従来のものとを比較した実験データを図１１に示す。
この実験データからわかるように、本実施形態に係る油分離器１００によれば、導入管２０から導入された油含有冷媒の一部が、従来のように旋回方向と逆向きに流れることを防いでいることにより、従来に比べて圧力損失を低減させることができる。
これにより、導入される油含有冷媒の流速を速くした場合であっても圧力損失を抑えることができ、速い流速による大きな遠心力を用いて、油を効率良く分離させることができ、ひいては油分離器１００を小型化することが可能となる。
【００７２】
なお、油分離器を小型化して、特に本実施形態のように冷媒導出管３０の導出口３２よりも下方における容器１０の容積が０．６Ｌ以下にした場合、油分離器１００には分離された油を溜めておくスペースが小さくなる。このことから、分離された油量が多い場合は、油導出管４０のみならず、冷媒導出管３０から油が流れ出てしまうという問題が生じる。
そこで、従来は、小型の油分離器を用いた場合、冷媒回路に、毛細配管に並列に設けられたバイパス管と、このバイパス管に設けられた電磁弁とを設け、例えば圧縮機の起動時など油含有冷媒に含まれる油量が多いときに、前記電磁弁を開けて油分離器により分離された油を確実に圧縮機に戻せるようにしている。
これに対して、本実施形態の冷媒回路２００は、従来よりも径寸法の大きい毛細管を用いることで、分離された油を確実に圧縮機Ｃに戻せるように構成されており、電磁弁を不要にすることでコスト削減を図っている。
【００７３】
続いて、上述した油分離器１００を備える室外機３００について説明する。
【００７４】
本実施形態に係る室外機３００は、図１２及び図１３に示すように、上述した油分離器１００、圧縮機Ｃ、アキュムレータＡなどがケーシング３１０に収容されており、ケーシング３１０の天板３１１に形成された送風口Ｈから空気を上方に排出する所謂縦置きタイプのものである。なお、図示していないが、ケーシング３１０内にレシーバを設けても良い。
【００７５】
より具体的に説明すると、ここでの室外機３００は、ケーシング３１０の天板３１１に一対の送風口Ｈが形成されたものであり、ケーシング３１０内には一対の圧縮機Ｃと、これらの圧縮機Ｃそれぞれに対応する一対の油分離器１００が設けられている。
【００７６】
ここで、本実施形態に係る油分離器１００は上述したように小型化を図れるものであり、従来のものより重量が軽い。
【００７７】
そこで、本実施形態では、油分離器１００を油分離器１００とは別の部材に取付可能な構成としてある。別の部材としては、ケーシング３１０内に収容されて室外機３００を構成するアキュムレータＡや圧縮機Ｃ、或いはケーシング３１０の側板３１２又は天板３１１などが挙げられるが、ここでは機械的強度が比較的高く稼動中の振動が比較的小さいアキュムレータＡと油分離器１００との間に取付構造Ｚを設けて、油分離器１００をアキュムレータＡに着脱可能としている。
【００７８】
取付構造Ｚは、アキュムレータＡに設けられた被取付部と、油分離器１００に設けられた取付部とから構成されており、断熱性を有する部材からなる。
【００７９】
具体的に取付構造Ｚとしては、例えば被取付部又は取付部の一方に設けられた引っ掛け用の孔と、他方に設けられた引っ掛け用の爪とからなる構成や、一方に設けられた凹部と、他方に設けられて凹部に嵌る凸部とからなる構成などが挙げられる。その他、ブラケットなどを利用した構成や取付バンドなどを利用した構成であっても構わない。
【００８０】
この取付構造Ｚを介して油分離器１００をアキュムレータＡに取り付けると、油分離器１００はケーシング３１０の底板３１３には載置されず、底板３１３から浮いた状態で保持される。これにより、油分離器１００としては、該油分離器１００を底板３１３等に載置するための脚部が不要となる。
【００８１】
油分離器１００が取り付けられたアキュムレータＡは、図１３に示すように、上方から視て、一対の吹出口Ｈの中心線Ｌの少なくとも一部と重なるように配置されている。言い換えれば、このアキュムレータＡは、上方から視て少なくとも一部が天板３１１で隠れる（覆われる）位置に設けられており、吹出口Ｈから吹き出される空気への抵抗となり難い配置となっている。なお、説明の便宜上、図１３では送風ファンを図示していない。
【００８２】
また、一対の圧縮機Ｃは、前記中心線Ｌを挟むとともに互いに近接して配置されており、ここではアキュムレータＡと一対の圧縮機Ｃとが、上方から視てケーシング３１０の中央部において密接に配置されている。
【００８３】
より詳細に説明すると、図１３に示すように、２台の圧縮機Ｃ及びこれらの圧縮機Ｃに対応する２台の油分離器１００は、気液分離器Ａを中心とした１８０度未満の範囲に配置されている。
また、これら２台の圧縮機Ｃは、気液分離器Ａを中心とした９０度未満の範囲に配置されており（つまり図１３のα＜９０°）、２台の油分離器１００は、気液分離器１００を中心として、当該気液分離器１００に最も近い圧縮機Ｃと吸入管４１０との接続部Ｇを通る仮想円Ｘの内側に配置されている。
【００８４】
このように構成された油分離器１００であれば、取付構造Ｚを介してアキュムレータＡに取り付けることで、ケーシング３１０の底板３１３に載置することなく、ケーシング３１０内に配置することができる。
これにより、油分離器１００の例えば脚部を不要にすることができ、特に大型容器である圧縮機ＣやアキュムレータＡなどの配置自由度が向上し、上述したように上方から視てケーシング３１０の中央部に密接して配置させることができる。
その結果、圧縮機ＣやアキュムレータＡは、ケーシング３１０内を通過する空気への抵抗となり難い位置に配置されることとなり、室外機の風量が増加して凝縮性能が向上し、これにより圧縮機の高圧低減効果や入力低減効果を得ることができ、高効率化を図ることができる。
また、圧縮機Ｃ、アキュムレータＡ、及び油分離器１００が密接に配置されるので、これらを接続する配管長を従来よりも大幅に短くすることができ、圧損の低減や低コスト化を図れる。
【００８５】
さらに、機械的強度が比較的高いアキュムレータＡに被取付部を設けているので、本実施形態のように一対の油分離器１００をアキュムレータＡに取り付けたとしても、これらの油分離器１００を確実に支持しておくことができる。なお、アキュムレータＡは、圧縮機Ｃなどに比べて高さ寸法が大きいことから、油分離器１００をケーシングＣの底板３１３から浮かせた状態で取り付けることが容易である。
そのうえ、アキュムレータは稼動中の振動が比較的小さいので、取り付けられた油分離器に伝わる振動も小さく、油分離器に接続される配管に亀裂が生じたり、これらの配管が抜けてしまうこと等を防ぐことができる。
【００８６】
そのうえ、２台の圧縮機Ｃや２台の油分離器１００を気液分離器Ａに寄せた配置としているので、機内のコンパクト化や省スペース化を図れる。
【００８７】
なお、本発明は前記実施形態に限られるものではない。
【００８８】
例えば、前記実施形態では、２つの圧縮機を具備する空気調和機を説明したが、図１４に示すように、３つの圧縮機Ｃ１〜Ｃ３を具備する構成や、それ以上の圧縮機を具備する構成であっても構わない。
【００８９】
また、前記実施形態の吸入管は、気液分離器の底部を貫通していたが、気液分離器の側壁部を貫通していても良いし、気液分離器の上壁部を貫通していても良い。
【００９０】
さらに、前記実施形態の油導出管は、他端が吸入管における分岐管との接続箇所よりも圧縮機側に接続されていたが、導出管の他端は、吸入管における分岐管との接続箇所よりも気液分離器側に接続されていても良い。
【００９１】
油分離器構５００としては、図１５に示すように、油分離機構５００を構成する構成要素の一部が気液分離器Ａ内に配置されていても良い。具体的には、気液分離器Ａ内に少なくとも分岐部５２０が設けられており、ここでは第１分岐管５３１及び第２分岐管５３２も気液分離器Ａ内に設けられている。
このような構成であれば、油分離機構５００の一部を気液分離機Ａ内に配置することで、機内のさらなるコンパクト化を図れる。
【００９２】
また、図１６に示すように、気液分離器Ａ内の下方に、気液分離器Ａ内において油が溜まる空間を上方空間Ａ１及び下方空間Ａ２に仕切る仕切り板６が設けられており、これらの上方空間Ａ１及び下方空間Ａ２を連通して、上方空間Ａ１から下方空間Ａ２に油を導く油流通路６Ｌが設けられていても良い。なお、これらの仕切り板６や油流通路６Ｌは油分離機構５００を構成するものであり、油流通路６Ｌには開閉弁Ｖが設けられている。
かかる構成において、複数の吸入管４１０、４２０が、下方空間Ａ２に連通して、当該下方空間Ａ２に溜まった油が流入する油戻し穴Ｈが形成されていることが好ましい。
このような構成であれば、油分離機構５００を構成する分岐部５２０を不要にすることができ、更なるコンパクト化を図れる。
【００９３】
油分離器に関していえば、例えば、前記実施形態では、導入管が等断面形状の円筒管であったが、図１７に示すように、導入口２１に向かって徐々に縮径する縮径部を有していても良い。
この場合、第１仮想平面Ｘ１と第２仮想平面Ｘ２との離間距離Ｌ１は、導入管２０おける先端部の内径Ｄ１の０．３２倍以上であれば良い。
【００９４】
また、油分離器１００は、図１８に示すように、容器１０内の下部に設けられて分離空間Ｓを上下に仕切る油飛散防止プレート５０をさらに具備するものであっても良い。
この油飛散防止プレート５０は、下側テーパ部１３よりも上方に例えば溶接などにより固定されており、分離された油を上方から下方に通過させる油通過口５１が形成された板状のものである。
より具体的にこのものは、外周部が容器１０の内周面１４に沿った円板状をなすものであり、その外周部を切り欠いて例えば周方向に沿って等間隔に複数の前記油通過口５１が形成されている。なお、ここでは、４つの油通過口５１が形成されているが、その個数は適宜変更して構わない。
【００９５】
前記実施形態では、導入管の導入口が第１仮想平面上に形成されていたが、図１９に示すように、導入口２１は例えば下流側に湾曲した形状をなし、第１仮想平面Ｘ１上に形成されていなくても良い。
【００９６】
また、前記実施形態の導入管は、その管軸が容器の中心軸と直交するように設けられていたが、前記管軸が前記中心軸と直交する方向に対して下向き又は上向きに傾いていても良い。
【００９７】
さらに、前記実施形態の油導出管は、容器の底壁を貫通していたが、容器の下部に設けられていれば良く、側壁部の下部を貫通したものであっても良い。
【００９８】
そのうえ、前記実施形態の容器は円筒形状をなすものであったが、中心軸に沿った断面が円形状の内周面を有していれば良く、外形は四角柱形状や多角柱形状をなすものであっても構わない。
【００９９】
また、前記実施形態の室外機３００は、ケーシング３１０の天板３１１に一対の吹出口Ｈが形成されたものであったが、図２０に示すように、室外機３００はケーシング３１０の天板３１１に単一の吹出口Ｈが形成されたものであっても良い。
このように、単一の吹出口Ｈが形成された室外機３００の場合、アキュムレータＡをケーシング３１０の側板３１２に近づけてしまうと、この側板３１２に沿って設けられたコ字状又はＬ字状の熱交換器（不図示）へ空気が通りにくくなってしまう。一方、アキュムレータＡをケーシング３１０の中央部に近づけると、ケーシング３１０の前方（図２０における下方）に設けられた圧縮機Ｃに近づいてしまい、メンテナンス性が低下する。
【０１００】
これに対して、本発明に係る油分離器１００であれば、例えばアキュムレータＡに取り付けることができるので、従来であれば油分離器１００を配置していた領域をもアキュムレータＡの配置場所として活用することができる。これにより、アキュムレータＡの設置自由度を向上させることができ、熱交換器に位置に応じて熱交換器へ十分な空気を通せるようにアキュムレータＡや油分離器１００を配置させつつ、圧縮機Ｃ等のメンテナンス性を担保することが可能となる。
また、油分離器１００とアキュムレータＡとを密接させることにより、吹出口から吹き出される空気への抵抗が小さくなり、室外機３００の風量を増加させることができる。
なお、アキュムレータＡや圧縮機Ｃの少なくとも一部を、上方から視て天板３１１の隅部Ｐで覆われるように、言い換えればケーシング３１０の角部にアキュムレータＡや圧縮機Ｃを配置して、これらの少なくとも一部が吹出口Ｈから隠れるようにすることができれば、ケーシング３１０内を空気が通過し易くなり、室外機３００の風量がより増加する。
【０１０１】
その他、本発明は前記実施形態に限られず、その趣旨を逸脱しない範囲で種々の変形が可能であるのは言うまでもない。
【符号の説明】
【０１０２】
３００・・・空気調和機
２００・・・冷媒回路
Ｃ    ・・・圧縮機
Ａ    ・・・気液分離器
９１  ・・・第１吸入管
９２  ・・・第２吸入管
Ｇ１  ・・・鉛直方向下端部
Ｇ２  ・・・鉛直方向下端部
８０  ・・・油分配機構
８１  ・・・メイン管
８２  ・・・分岐部
８３１・・・第１分岐管
８３２・・・第２分岐管
【図１】
2020020516.tif 000003
【図２】
2020020516.tif 000004
【図３】
2020020516.tif 000005
【図４】
2020020516.tif 000006
【図５】
2020020516.tif 000007
【図６】
2020020516.tif 000008
【図７】
2020020516.tif 000009
【図８】
2020020516.tif 000010
【図９】
2020020516.tif 000011
【図１０】
2020020516.tif 000012
【図１１】
2020020516.tif 000013
【図１２】
2020020516.tif 000014
【図１３】
2020020516.tif 000015
【図１４】
2020020516.tif 000016
【図１５】
2020020516.tif 000017
【図１６】
2020020516.tif 000018
【図１７】
2020020516.tif 000019
【図１８】
2020020516.tif 000020
【図１９】
2020020516.tif 000021
【図２０】
2020020516.tif 000022